(57)【要約】【課題】作業性が向上する照明器具を提供する。【解決手段】照明器具３は、弾性部材１が取り付けられた枠体５と、弾性部材１が挿入される開口部６３を有する受け部材６が取り付けられた器具本体４と、を備え、弾性部材１は、基部１１と、基部１１の両端から延びる一対の腕部１２と、一対の腕部１２同士が近づけられて、基部１１を起点として互いに離れる方向に付勢された弾性変形状態を維持する結合部１３と、を備え、弾性変形状態において受け部材６の開口部６３に挿入され、腕部１２が開口部６３の縁部６３ａを摺動していくに従って、弾性変形状態が解除されていくものである。【選択図】図５
2015232979.tif 000002
【特許請求の範囲】
【請求項１】
弾性部材が取り付けられた枠体と、
前記弾性部材が挿入される開口部を有する受け部材が取り付けられた器具本体と、を備え、
前記弾性部材は、
基部と、
前記基部の両端から延びる一対の腕部と、
一対の前記腕部同士が近づけられて、前記基部を起点として互いに離れる方向に付勢された弾性変形状態を維持する結合部と、を備え、
前記弾性変形状態において前記受け部材の前記開口部に挿入され、前記腕部が前記開口部の縁部を摺動していくに従って、前記弾性変形状態が解除されていくものである照明器具。
【請求項２】
前記結合部は、
前記腕部の先端に設けられ、前記弾性変形状態で係合して、前記弾性変形状態を維持する係合部である請求項１記載の照明器具。
【請求項３】
前記係合部は、
前記腕部の先端に設けられ、互いに向き合うように延びる基端部と、
前記基端部の先端に設けられ、互いに離れるように延びる先端部と、
を備える請求項２記載の照明器具。
【請求項４】
前記弾性変形状態における係合された一対の前記係合部の幅は、
前記弾性変形状態における一対の前記腕部の幅から、前記受け部材における前記開口部の幅を減算した値以下である請求項２又は３記載の照明器具。
【請求項５】
前記基部は、
環状に巻回されたコイル状をなしている請求項１〜４のいずれか１項に記載の照明器具。
【請求項６】
前記腕部は、
互いに離れる方向において段差が形成される段付部
を備える請求項１〜５のいずれか１項に記載の照明器具。
【請求項７】
前記腕部は、
外側に凸になるように湾曲している請求項１〜６のいずれか１項に記載の照明器具。
【請求項８】
前記受け部材は、
前記開口部の縁部から前記受け部材の縁部までくり抜かれ、前記結合部が通過するスリット
を備える請求項１〜７のいずれか１項に記載の照明器具。
【請求項９】
前記受け部材の前記開口部の縁部は、
前記弾性部材の挿入方向から狭まるように傾斜している請求項１〜８のいずれか１項に記載の照明器具。
【発明の詳細な説明】
【技術分野】
【０００１】
本発明は、弾性部材を備える照明器具に関する。
【背景技術】
【０００２】
灯具と器具本体とから構成される照明器具として、これらの灯具と器具本体とを、弾性部材を用いて固定する技術が提案されている（例えば、特許文献１参照）。特許文献１には、Ｖバネ（弾性部材）を有する器具本体と、ガイド金具（バネ受け部材）を有するグローブ（灯具）とを備える照明器具が開示されている。この特許文献１においては、Ｖバネとガイド金具とを係合する際、Ｖバネに外力を加えて、内側に閉じるように弾性変形した状態が維持されたまま、Ｖバネのツマミ部がガイド金具の溝に係合される。そして、Ｖバネの弾性力により、グローブが器具本体の側に引き寄せられて、グローブが器具本体に固定される。
【先行技術文献】
【特許文献】
【０００３】
【特許文献１】特開２００５−１５８３６１号公報（第５頁、図３）
【発明の概要】
【発明が解決しようとする課題】
【０００４】
しかしながら、特許文献１に開示された照明器具は、Ｖバネが内側に閉じるように弾性変形した状態が維持されたまま、Ｖバネとガイド金具とが係合される。このように、特許文献１においては、グローブと照明器具とが着脱される際、Ｖバネに手等により常に外力を加え続ける必要があり、作業性が悪い。
【０００５】
本発明は、上記のような課題を背景としてなされたもので、作業性が向上する照明器具を提供するものである。
【課題を解決するための手段】
【０００６】
本発明に係る照明器具は、弾性部材が取り付けられた枠体と、弾性部材が挿入される開口部を有する受け部材が取り付けられた器具本体と、を備え、弾性部材は、基部と、基部の両端から延びる一対の腕部と、一対の腕部同士が近づけられて、基部を起点として互いに離れる方向に付勢された弾性変形状態を維持する結合部と、を備え、弾性変形状態において受け部材の開口部に挿入され、腕部が開口部の縁部を摺動していくに従って、弾性変形状態が解除されていくものである。
【発明の効果】
【０００７】
本発明によれば、結合部が弾性変形状態を維持し、弾性部材は、弾性変形状態において受け部材の開口部に挿入され、腕部が開口部の縁部を摺動していくに従って、弾性変形状態が解除されていくため、作業性が向上する。
【図面の簡単な説明】
【０００８】
【図１】実施の形態１に係る照明器具３を示す斜視図である。
【図２】実施の形態１における器具本体４を示す斜視図である。
【図３】実施の形態１における枠体５を示す斜視図である。
【図４】実施の形態１における留め具５１を示す斜視図である。
【図５】実施の形態１に係る弾性部材１を示す正面図である。
【図６】実施の形態１に係る弾性部材１の弾性変形状態を示す正面図である。
【図７】実施の形態１に係る弾性部材１を示す平面図である。
【図８】実施の形態１における受け部材６を示す斜視図である。
【図９】実施の形態１に係る弾性部材１の弾性変形状態における寸法を示す正面図である。
【図１０】実施の形態１に係る弾性部材１の弾性変形状態の推移を示す正面図である。
【図１１】実施の形態１に係る弾性部材１の弾性変形状態の推移を示す正面図である。
【図１２】実施の形態１に係る弾性部材１の弾性変形状態の推移を示す正面図である。
【図１３】実施の形態１に係る弾性部材１の弾性変形状態の推移を示す正面図である。
【図１４】実施の形態１に係る弾性部材１の弾性変形状態の推移を示す正面図である。
【図１５】実施の形態１に係る照明器具３の取り外しの状態を示す斜視図である。
【図１６】実施の形態２における受け部材１０６を示す斜視図である。
【図１７】実施の形態３における受け部材２０６を示す斜視図である。
【図１８】実施の形態４に係る弾性部材３００を示す平面図である。
【発明を実施するための形態】
【０００９】
以下、本発明に係る照明器具の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、実施の形態１に係る照明器具３を示す斜視図である。この図１に基づいて、照明器具３について説明する。図１に示すように、照明器具３は、例えば天井に取り付けられる矩形状の器具本体４と、この器具本体４に着脱自在に取り付けられた矩形状の枠体５とを備えている。
【００１１】
図２は、実施の形態１における器具本体４を示す斜視図である。図２に示すように、器具本体４は、有底枠状をなしており、例えば２個の点灯ユニット４１、２個の電源端子台４２等が設けられている。また、器具本体４は、枠体５を着脱自在に保持する複数の受け部材６を備えている。この受け部材６は、例えば器具本体４における対向する内側面４ａに、夫々２個ずつ螺子等を用いて固定されている。
【００１２】
また、点灯ユニット４１は、断面半円状で且つ長手方向（矢印Ｘ方向）に延びるものであり、器具本体４の底面４ｂに複数、例えば２個、幅方向（矢印Ｙ方向）において間隔を空けて螺子等を用いて固定されている。更に、電源端子台４２は、点灯ユニット４１に電源を供給するものであり、器具本体４の底面４ｂにおける点灯ユニット４１が固定されていない位置に螺子等を用いて固定されている。
【００１３】
図３は、実施の形態１における枠体５を示す斜視図である。図３に示すように、枠体５は、中空枠状をなしており、複数の弾性部材１が設けられている。弾性部材１は、例えば枠体５における対向する外側面５ａに、夫々２個ずつ留め具５１を用いて固定されている。
【００１４】
図４は、実施の形態１における留め具５１を示す斜視図である。図４に示すように、留め具５１は、断面弓字状をなしており、上凸部５１ａ、凹部５１ｂ、下凸部５１ｃを備えている。そして、上凸部５１ａ及び下凸部５１ｃと枠体５との間に、弾性部材１が挿入されている。また、凹部５１ｂにおいて、螺子５２を用いて留め具５１自体が枠体５に固定されている。更に、留め具５１の上凸部５１ａ及び下凸部５１ｃには、エンボス加工等によって形成された凸部（図示せず）が、表面に設けられている。そして、この凸部が弾性部材１に当たることによって、弾性部材１の水平方向（矢印Ｙ方向）等への移動（ずれ）が阻止される。また、これにより、弾性部材１が滑らかに弾性変形することを可能にしている。
【００１５】
図３に示すように、枠体５には、器具本体４に枠体５が固定されたときに、器具本体４における電源端子台４２等を覆う断面Ｖ字状で且つ長手方向（矢印Ｘ方向）に延びるカバー５３が螺子等を用いて固定されている。枠体５において、カバー５３が設けられている部分以外は開口されているため、図１に示すように、器具本体４に枠体５が固定されたときに、器具本体４における２個の点灯ユニット４１が枠体５から露出される。なお、点灯ユニット４１は、枠体５に設けられていてもよい。
【００１６】
図５は、実施の形態１に係る弾性部材１を示す正面図である。枠体５に固定された弾性部材１は、例えば鋼板等の弾性力を備えた部材を曲げ加工して作製されたトーションバネである。図５に示すように、弾性部材１は、基部１１と、一対の腕部１２と、結合部１３とを備えている。基部１１は、例えば環状に巻回されたコイル状をなしており、留め具５１に固定されている。
【００１７】
一対の腕部１２は、基部１１の両端から延びるものであり、例えば正面視においてＶ字状又はＵ字状をなしている。そして、腕部１２は、基部１１を起点として互いに離れる方向、即ち弾性部材１の幅方向（矢印α方向）に付勢されている。図５において、腕部１２は、基部１１の両端から延びる第１の直線部２１と、第１の直線部２１の先端の第１の屈曲部２２と、第１の屈曲部２２から延びる第２の直線部２３と、第２の直線部２３の先端の第２の屈曲部２４を有している。このように、腕部１２は、外側に凸になるように湾曲している。なお、これらの直線部及び屈曲部の数は適宜変更することができる。また、直線部及び屈曲部に限らず、曲線部を設けてもよい。
【００１８】
結合部１３は、一対の腕部１２同士が矢印β方向に近づけられて、基部１１を起点として互いに離れる方向（矢印α方向）に付勢された弾性変形状態を維持するものである。本実施の形態１において、この結合部１３は、腕部１２の先端に設けられた係合部１４である。この係合部１４は、腕部１２の先端に設けられ、互いに向き合うように延びる基端部３１と、基端部３１の先端に設けられ、互いに離れるように延びる先端部３２とを備えている。
【００１９】
図６は、実施の形態１に係る弾性部材１の弾性変形状態を示す正面図である。図６に示すように、係合部１４は、腕部１２の先端に設けられ、基部１１を起点として互いに離れる方向（矢印α方向）に付勢された弾性変形状態を維持するものである。なお、係合部１４における基端部３１は、互いに向き合うように延びているため、係合部１４同士が係合し易い。
【００２０】
図７は、実施の形態１に係る弾性部材１を示す平面図である。図７に示すように、一方の腕部１２は、互いに離れる方向（奥行方向）（矢印Ｙ方向）において段差が形成される段付部１２ａを備えている。段付部１２ａにおいて互いに離れる方向（矢印Ｙ方向）に段差が形成されることによって、一対の係合部１４が弾性変形状態で係合する際、段差の分だけ各腕部１２が互いに離れる方向（矢印Ｙ方向）に付勢しつつ係合部１４同士を近づける。このため、弾性変形状態においては、腕部１２には、幅方向（矢印α方向）だけではなく、奥行方向（矢印Ｙ方向）にも付勢力が働く。従って、弾性変形状態において、一対の係合部１４における係合が解除される際、奥行方向（矢印Ｙ方向）における付勢力（復元力）によって、係合部１４の先端が広がり易くなる。
【００２１】
図８は、実施の形態１における受け部材６を示す斜視図である。器具本体４に固定された受け部材６は、断面Ｌ字状で且つ長手方向（矢印Ｘ方向）に延びるものであり、器具本体４に接触して螺子等を用いて固定される固定部６１と、固定部６１に接続される開口部６３を有する係止部６２とから構成されている。係止部６２に設けられた開口部６３は、楕円状をなしており、係止部６２に対し垂直の方向（下方向）（矢印Ｚ方向）から弾性部材１が挿入されるものである。図８において、開口部６３は所定の幅Ｗｏを有している。
【００２２】
図９は、実施の形態１に係る弾性部材１の弾性変形状態における寸法を示す正面図である。図９に示すように、弾性変形状態における係合された一対の係合部１４の幅をＷｅ、弾性変形状態における一対の腕部１２の最大幅をＷａとする。この場合、受け部材６における開口部６３の幅Ｗｏは、弾性変形状態における係合された一対の係合部１４の幅Ｗｅよりも大きく、弾性変形状態における一対の腕部１２の最大幅Ｗａよりも小さく形成されている。即ち、Ｗｅ≦Ｗｏ≦Ｗａの関係が成り立つ。
【００２３】
受け部材６における開口部６３の幅Ｗｏは、弾性変形状態における係合された一対の係合部１４の幅Ｗｅよりも大きいため、弾性変形状態における弾性部材１は、開口部６３に挿入されることができる。また、受け部材６における開口部６３の幅Ｗｏは、弾性変形状態における一対の腕部１２の最大幅Ｗａよりも小さいため、弾性部材１が開口部６３に挿入されていくと、弾性部材１の腕部１２のうち、開口部６３の幅Ｗｏより大きい領域において、開口部６３の縁部６３ａに摺動する。このように、弾性部材１は、弾性変形状態において受け部材６の開口部６３に挿入され、腕部１２が開口部６３の縁部６３ａを摺動していくに従って、弾性変形状態が解除されていくものである。
【００２４】
また、本実施の形態１では、弾性変形状態における係合された一対の係合部１４の幅Ｗｅは、弾性変形状態における一対の腕部１２の最大幅Ｗａから、受け部材６における開口部６３の幅Ｗｏを減算した値以下、即ち、Ｗｅ≦Ｗａ−Ｗｏとし、これにより、弾性変形状態が的確に解除される。腕部１２が開口部６３の縁部６３ａを摺動していくに従って、一対の係合部１４の係合が解除されようとする。しかし、一対の係合部１４の幅Ｗｅが、一対の腕部１２の最大幅Ｗａから開口部６３の幅Ｗｏを減算した値以上である場合、腕部１２が開口部６３の縁部６３ａに摺動して、一対の係合部１４の係合が一旦解除されようとしても、係合の解除が完了する前に、再び係合されてしまう場合がある。本実施の形態１では、Ｗｅ≦Ｗａ−Ｗｏとすることにより、弾性変形状態の解除が確実に行われる。
【００２５】
次に、本実施の形態１に係る照明器具３の作用について説明する。先ず、器具本体４に枠体５が取り付けられる動作について説明する。図１０〜図１４は、実施の形態１に係る弾性部材１の弾性変形状態の推移を示す正面図である。図１０に示すように、先ず、弾性部材１において、一対の係合部１４は、一対の腕部１２同士が矢印β方向に近づけられて、基部１１を起点として互いに離れる方向（矢印α方向）に付勢された弾性変形状態で係合される。そして、弾性変形状態における弾性部材１の係合部１４の側（矢印Ｚ１方向）が、受け部材６の開口部６３に向けられる。
【００２６】
その後、図１１に示すように、弾性部材１の係合部１４が受け部材６の開口部６３に挿入される。そして、弾性部材１の腕部１２が開口部６３の縁部６３ａを摺動していくに従って、弾性変形状態よりも更に、一対の腕部１２が近づいていく。また、これにより、一対の係合部１４同士における係合が解除される。即ち、弾性部材１は、弾性変形状態において受け部材６の開口部６３に挿入され、腕部１２が開口部６３の縁部６３ａを摺動していくに従って、弾性変形状態が解除されていくものである。
【００２７】
弾性部材１が、更に受け部材６の開口部６３に挿入されると、図１２に示すように、一対の腕部１２同士がもっとも近づき、これにより、腕部１２の付勢力に逆らう反発力（復元力）が最大となる。この状態から、弾性部材１が、更に受け部材６の開口部６３に挿入されると、反発力が徐々に弱まっていく。その後、図１３に示すように、弾性部材１における基部１１が、受け部材６の開口部６３に到達する。
【００２８】
そして、図１４に示すように、弾性部材１における基部１１の全体が、受け部材６の開口部６３に収められると、弾性部材１に加わる外力がなくなり、腕部１２が付勢されて伸び切った状態となる。これにより、受け部材６が取り付けられた器具本体４に、弾性部材１が取り付けられた枠体５が固定された照明器具３となる。
【００２９】
次に、器具本体４から枠体５が取り外される動作について説明する。図１５は、実施の形態１に係る照明器具３の取り外しの状態を示す斜視図である。枠体５が器具本体４から離れるように引き下げられると、弾性部材１及び受け部材６は、図１４の状態から、図１３の状態に移行する。そして、更に、枠体５が器具本体４から離れるように引き下げられると、図１３の状態から、図１２の状態に移行し、その後、図１１の状態に移行する。
【００３０】
図１１の状態から、枠体５が器具本体４から離れるように引き下げられると、弾性部材１は図１０のように弾性変形状態とはならず、図１５に示すように、係合部１４が、受け部材６の開口部６３の外周に引っ掛かる。これにより、枠体５が器具本体４から落下することを防ぐ。この状態から、弾性部材１に手等により外力を加えて、弾性部材１が受け部材６から引き抜かれると、器具本体４から枠体５が取り外される。
【００３１】
以上説明したように、本実施の形態１に係る照明器具３は、弾性部材１における結合部１３、例えば係合部１４が弾性変形状態を維持するため、弾性部材１は、自身で弾性変形状態を維持することができる。そして、弾性部材１は、弾性変形状態において受け部材６の開口部６３に挿入され、腕部１２が開口部６３の縁部６３ａを摺動していくに従って、弾性変形状態が解除されていく。このように、弾性部材１は、自身で弾性変形状態を維持し、且つ受け部材６に挿入されることによって、その弾性変形状態が解除される。即ち、器具本体４に枠体５が取付けられる際に、弾性部材１に手等により外力を加える必要がない。従って、照明器具３の取り付け作業性が向上する。
【００３２】
また、器具本体４から枠体５が取り外される際、枠体５を器具本体４から離れるように引き下げるとき、誤って枠体５が落下しようとしても、係合部１４が、受け部材６の開口部６３の外周に引っ掛かる。これにより、枠体５が器具本体４から落下することを防ぐことができる。従って、照明器具３の取り外し作業性も向上する。
【００３３】
実施の形態２．
次に、本実施の形態２における受け部材１０６について説明する。図１６は、実施の形態２における受け部材１０６を示す斜視図である。実施の形態２は、受け部材１０６の形状が、実施の形態１と相違する。本実施の形態２では、実施の形態１と共通する部分は同一の符号を付して説明を省略し、実施の形態１との相違点を中心に説明する。
【００３４】
図１６に示すように、受け部材１０６は、開口部１６３の縁部１６３ａから受け部材１０６の縁部１０６ａまでくり抜かれ、結合部１３、例えば係合部１４が通過するスリット１６４が設けられている。このスリット１６４を用いることによって、弾性部材１は、弾性部材１が開口部１６３に挿入される際に、弾性変形状態における係合された一対の係合部１４が、弾性部材１の挿入方向（矢印Ｚ方向）に対し垂直な方向（矢印Ｙ方向）からスリット１６４を通過して開口部１６３に挿入される。これにより、弾性変形状態における係合された一対の係合部１４の挿入性を向上させることができる。
【００３５】
実施の形態３．
次に、本実施の形態３における受け部材２０６について説明する。図１７は、実施の形態３における受け部材２０６を示す斜視図である。実施の形態３は、受け部材２０６における開口部２６３の形状が、実施の形態１と相違する。本実施の形態３では、実施の形態１と共通する部分は同一の符号を付して説明を省略し、実施の形態１との相違点を中心に説明する。
【００３６】
図１７に示すように、受け部材２０６の開口部２６３の縁部２６３ａは、弾性部材１の挿入方向（矢印Ｚ方向）から狭まるように傾斜している。これにより、弾性変形状態にある弾性部材１の腕部１２が、開口部２６３の縁部２６３ａにおいて摺動し易くなる。従って、弾性部材１における弾性変形状態の解除が円滑に行われる。
【００３７】
実施の形態４．
次に、本実施の形態４に係る弾性部材３００について説明する。図１８は、実施の形態４に係る弾性部材３００を示す平面図である。実施の形態４は、弾性部材３００の形状が、実施の形態１と相違する。本実施の形態４では、実施の形態１と共通する部分は同一の符号を付して説明を省略し、実施の形態１との相違点を中心に説明する。
【００３８】
本実施の形態４では、図１８に示すように、いずれの腕部３１２も、弾性部材３００における互いに離れる方向（奥行方向）（矢印Ｙ方向）において段差が形成された段付部３１２ａを備えている。段付部３１２ａにおいて互いに離れる方向（矢印Ｙ方向）に段差が形成されることによって、一対の係合部３１４が弾性変形状態で係合する際、段差の分だけ各腕部３１２が互いに離れる方向（矢印Ｙ方向）に付勢しつつ係合部３１４同士を近づける。このため、弾性変形状態においては、腕部３１２には、幅方向だけではなく、奥行方向（矢印Ｙ方向）にも付勢力が働く。従って、実施の形態１と同様に、弾性変形状態において、一対の係合部３１４における係合が解除される際、奥行方向（矢印Ｙ方向）における付勢力（復元力）によって、係合部３１４の先端が広がり易くなる。なお、この段付部３１２ａは、本実施の形態４のように２個備えるだけでなく、３個以上備えていてもよい。
【００３９】
なお、実施の形態２〜４の構成を組み合わせた照明器具とすることも可能である。
【符号の説明】
【００４０】
１  弾性部材、３  照明器具、４  器具本体、４ａ  内側面、４ｂ  底面、５  枠体、５ａ  外側面、６  受け部材、１１  基部、１２  腕部、１２ａ  段付部、１３  結合部、１４  係合部、２１  第１の直線部、２２  第１の屈曲部、２３  第２の直線部、２４  第２の屈曲部、３１  基端部、３２  先端部、４１  点灯ユニット、４２  電源端子台、５１  留め具、５１ａ  上凸部、５１ｂ  凹部、５１ｃ  下凸部、５２  螺子、５３  カバー、６１  固定部、６２  係止部、６３  開口部、６３ａ  縁部、１０６  受け部材、１０６ａ  縁部、１６１  垂直部、１６２  水平部、１６３  開口部、１６３ａ  縁部、１６４  スリット、２０６  受け部材、２６３  開口部、２６３ａ  縁部、３００  弾性部材、３１１  基部、３１２  腕部、３１２ａ  段付部、３１４  係合部。
【図１】
2015232979.tif 000003
【図２】
2015232979.tif 000004
【図３】
2015232979.tif 000005
【図４】
2015232979.tif 000006
【図５】
2015232979.tif 000007
【図６】
2015232979.tif 000008
【図７】
2015232979.tif 000009
【図８】
2015232979.tif 000010
【図９】
2015232979.tif 000011
【図１０】
2015232979.tif 000012
【図１１】
2015232979.tif 000013
【図１２】
2015232979.tif 000014
【図１３】
2015232979.tif 000015
【図１４】
2015232979.tif 000016
【図１５】
2015232979.tif 000017
【図１６】
2015232979.tif 000018
【図１７】
2015232979.tif 000019
【図１８】
2015232979.tif 000020